(57)【特許請求の範囲】
【請求項１】
一対のファスナーテープ５の対向側縁に沿って設けたファスナーエレメント７に連接して固定し、それぞれのファスナーテープ５を連結する弾性を備えた上止１において、上止１は中央に挿入脚部１３によって囲まれ、スライダー２の案内柱２１を収容できる収容部１０を設け、収容部１０の内周縁部１１に沿ってスライダー２の上下の翼板２０の内面と接触する突条１２を突設し、挿入脚部１３の入口端部にスライダー２の案内柱２１が挿通可能な通路部１４を設け、挿入脚部１３の入口端部の左右外側に押圧部１５を設け、該押圧部１５は上止１の両外側に隣接するファスナーエレメント７における脚部２９の接触面３１より外側へ突出する形に設け、通路部１４を密接可能に形成してなることを特徴とするスライドファスナーの防水用上止。
【請求項２】
挿入脚部１３の入口側の外側縁に押圧部１５を設け、押圧部１５から内側の外側縁はスライダー２のフランジ２２間の間隔よりも狭く形成し、フランジ２２と接触しない形に形成してなる請求項１記載のスライドファスナーの防水用上止。
【請求項３】
押圧部１５は挿入脚部１３より上下（表裏）方向へ突出する形に形成してなる請求項１記載のスライドファスナーの防水用上止。
【請求項４】
挿入脚部１３は上下（表裏）方向へ突出する突条１２と押圧部１５との間を凹状に形成してなる請求項３記載のスライドファスナーの防水用上止。
【発明の詳細な説明】
【技術分野】
【０００１】
この発明は、ウェットスーツをはじめ、防水ズボン、水中作業用の防水靴などの開閉口
に用いるスライドファスナーにおける防水用上止に関するものである。
【背景技術】
【０００２】
従来のスライドファスナーにおける防水用上止は、図９に示すように、中央にスライダーにおける案内柱を収容することができる収納孔を設け、この収納孔へ通ずる案内柱を挿通することができ、かつ密接することができる通路部を設け、収納孔と通路部とを包囲することができる形の肉厚の厚い内部シール部を設け、この内部シール部の表面に収納孔と通路部とにわたって上下に突出し、全体がラケット形を呈するリブ状シールを設け、このリブ状シールはスライダーの上下翼板の内面へ密接できるように形成した防水用上止が知られている。
【特許文献１】実公平４−３６６５９号公報
【発明の開示】
【発明が解決しようとする課題】
【０００３】
前項で述べた図９に示すスライドファスナーにおける防水用上止は、スライダーの胴体内を埋装できる肉厚の厚い内部シール部を全体が縦長になるように形成し、この内部シール部に形成するスライダーの上下すなわち表裏の翼板に接触するリブ状シールは、収納孔と通路部との双方にわたってラケット状に突設しなければならないので、リブ状シールが長い間隔設けるから、水密、気密の保持からすればあまり芳しいことではない。また内部シール部の内側に形成した通路部を密接するため、スライダーを引き上げてスライダーのフランジによって案内柱の通路部を密接させるタイプの上止であるが、この通路部分を単にスライダーのフランジによって通路部の側面を接合させるものであり、通路部は単に接合させるものであるから、この通路部分から水が浸透し、浸水するおそれがあるなど問題点がある。
【０００４】
この発明は、上述の問題点を考慮して発明されたものであり、この発明のうち請求項１記載の発明は、スライダーの上下すなわち表裏の翼板の内面に接触する突条、すなわちリブ状シールを如何に短く形成して、水密、気密効果を効率よくあげることができるか、また上止における挿入脚部の接触面、すなわち案内柱通路部の接触部分を短小に形成して確実に密接できるように上止の外側面を積極的に押圧できる押圧部を設け、押圧部は挿入脚部の外側へ突出する形に形成し、ファスナーエレメントを接触する部分を確実に密接させて効果的かつ的確に密接させ、水密、気密を図ったスライドファスナーの防水用上止を提供することが主たる目的である。
【０００５】
請求項２記載の発明は、請求項１記載の発明の目的に加え、上止の挿入脚部に設置する押圧部とその内側に設置する外側縁とを装着するスライダーとの関係を特定して、効果的かつ的確に水密、気密の効果を高めることができるスライドファスナーの防水用上止を提供することが目的である。
【０００６】
請求項３記載の発明は、請求項１記載の発明の目的に加え、上止の挿入脚部の両外側に形成するスライダーのフランジと接触する押圧部の形態を特定し、効果的かつ的確に挿入脚部の接触部分を積極的に密接させて水密、気密効果を高めることができるスライドファスナーの防水用上止を提供することが目的である。
【０００７】
請求項４記載の発明は、請求項３記載の発明の目的に加え、上止に設置する挿入脚部を突条と押圧部とによって、スライダーの翼板に部分接触させ、スライダーの摺動を円滑かつ軽快に行えることができるスライドファスナーの防水用上止を提供することが目的である。
【課題を解決するための手段】
【０００８】
前記の目的を達成するため、この発明のうち請求項１記載の発明は、スライドファスナーにおける一対のファスナーテープ５の対向側縁に沿って設けたファスナーエレメント７に連接する形で固定し、それぞれのファスナーテープ５に連結する弾性を備えた上止１において、上止１は中央に挿入脚部１３によって包囲され、摺動するスライダー２の案内柱２１を収容できる収容部１０を設け、この収容部１０の内縁に設置する内周縁部１１に沿ってスライダー２における上下（表裏）の翼板２０の内面と接触する突条１２を突設し、挿入脚部１３の入口端部にスライダー２の案内柱２１が挿通できる通路部１４を設け、挿入脚部１３の入口端部の左右外側に押圧部１５を設け、この押圧部１５は上止１の両外側に隣接するファスナーエレメント７における脚部２９の接触面３１より外側へ突出する形に設けるとともに通路部１４と密接できるように形成したスライドファスナーの防水用上止を主な構成とするものである。
【０００９】
請求項２記載の発明は、請求項１記載の発明の構成に加え、上止１に設置する押圧部１５は、挿入脚部１３の入口側の外側縁に設け、押圧部１５から上止１の内側に設置する外側縁はスライダー２の左右のフランジ２２間の間隔よりも狭く形成してフランジ２２と接触しない形に形成したスライドファスナーの防水用上止である。
【００１０】
請求項３記載の発明は、請求項１記載の発明の構成に加え、上止１に設置する押圧部１５は、挿入脚部１３より上下（表裏）方向へ突出する形に形成したスライドファスナーの防水用上止である。
【００１１】
請求項４記載の発明は、請求項３記載の発明の構成に加え、上止１の挿入脚部１３に設置する突条１２と押圧部１５は、ともに上下（表裏）方向へ突出しその間は凹状に窪んだ形に形成したスライドファスナーの防水用上止である。
【発明の効果】
【００１２】
この発明の効果として、請求項１記載の発明は、一対のファスナーテープの対向側縁に沿って設けたファスナーエレメントに連接して固定し、それぞれのファスナーテープを連結する弾性を備えた上止において、上止は中央に挿入脚部によって囲まれ、スライダーの案内柱を収容できる収容部を設け、収容部の内周縁部に沿ってスライダーの上下すなわち表裏の翼板の内面と接触する突条を突設し、挿入脚部の入口端部にスライダーの案内柱が挿通可能な通路部を設け、挿入脚部の入口端部の左右外側に押圧部を設け、該押圧部は上止の両外側に隣接するファスナーエレメントにおける脚部の接触面より外側へ突出する形に設け、通路部を密接可能に形成したことによって、下記の効果を奏する。
【００１３】
上止に形成するスライダーの案内柱を通過できる通路部分を短小形の接触面に形成しても、上止の両外側に設けた押圧部によって、積極的に挿入脚部を内方へ押圧して水などの浸透、浸水を的確に阻止できる効果があり、またスライダーの翼板の内面に接触する突条を収容部の内周縁部に沿って短く形成しても、水密、気密を効果的に発揮でき、しかも挿入脚部の内側に設置した通路部分を的確に圧接して、この通路部から水などの浸透、浸水を的確に阻止し、また、挿入脚部に設けた押圧部をスライダーのフランジと確実に摺接させることができ、良好な水密、気密効果をあげることができる効果がある。
【００１４】
請求項２記載の発明は、請求項１記載の発明の効果に加え、挿入脚部の入口側の外側縁に押圧部を設け、押圧部から内側の外側縁はスライダーのフランジ間の間隔よりも狭く形成し、フランジと接触しない形に形成したことによって、挿入脚部は入口側がスライダーの摺動動作により、押圧部を内側へ押圧し、押圧部から内側すなわち奥側ではスライダーのフランジと接触しないので、スライダーの摺動動作が軽快に行うことができる効果がある。
【００１５】
請求項３記載の発明は、請求項１記載の発明の効果に加え、押圧部は挿入脚部より上下（表裏）方向へ突出する形に形成したことによって、上止の挿入脚部の内側に設けた通路部分を的確に圧接し、きわめて良好な水密、気密効果をあげることができる効果がある。
【００１６】
請求項４記載の発明は、請求項３記載の発明の効果に加え、挿入脚部は上下（表裏）方向へ突出する突条と押圧部との間を凹状に形成したことによって、挿入脚部を部分的な接触によりスライダーの上下（表裏）の翼板に内接させるので、スライダーの摺動が円滑かつ軽快に行える効果があるなど、この発明が奏する効果はきわめて顕著である。
【発明を実施するための最良の形態】
【００１７】
この発明のスライドファスナーの防水用上止は、図１，５に示すように、一対のファスナーテープ５の表面に塩化ビニル、ポリエチレンなどの熱可塑性エラストマーまたは合成ゴムなどの防水材６をコーティングして基布４を形成し、この基布４の側縁にポリアミド、ポリアセタールなどの熱可塑性樹脂からなる単体状のファスナーエレメント７を射出成形手段によって成形し取り付ける。このファスナーエレメント７を取り付けた端部に、前記防水材６と同質で弾性を備えているスライダー２を停止させるための上止１を成形して取り付ける。
【００１８】
上止１は一端が封鎖され、中央にスライダー２の案内柱２１を収容できる収容部１０を設け、他端にファスナーエレメント７に連接して左右に挿入脚部１１を成形する。この挿入脚部１１の入口端部、すなわちファスナーエレメント７に連接する側にスライダー２の案内柱２１が通過させることができる通路部１４を側面に形成し、この通路部１４はスライダー２によってファスナーチエンを閉鎖したとき、左右の通路部１４が密接し水密性が得られるように形成する。
【００１９】
挿入脚部１３の左右外側は、ファスナーエレメント７の外側よりも多少外側面へ突出し、かつスライダー２のフランジ２２と接触できる上下方向すなわち表裏方向へ突出する押圧部１５を設ける。案内柱２１を収容する収容部１０の内周縁部１１に沿って、スライダー２の上下（表裏）の翼板２０の内面に向けて突出し、接触できる突条１２を周設し、突条１２の入口端部は挿入脚部１３の通路部１４に面し、かつ端部は斜面状に切り欠いて傾斜面１６を形成することで、上下の翼板２０との衝撃を軽減し、案内柱２１の挿入通過を容易にしている。上止１の封鎖された端部両面には、スライダー２の翼板２０の頭部２３が当接するストッパー１７が突設され、スライダー２を的確に収容部１０に収容する。
【００２０】
なお、上止１の封鎖されたストッパー１７の外側の基布４の裏面に、左右のファスナーテープ５を一体化させるため、シール材８を裏打ちして一体化を図る。
【００２１】
上止１とスライダー２との関係は、スライダー２を摺動操作して案内柱２１を上止１の収容部１０に収容させることによって、水密、気密性を発揮し防水用上止として用いられる。その際、上止１はスライダー２の案内柱２１を収容部１０に収容したとき、収容部１０の内周縁部１１に周設した突条１２が図４に示すように翼板２０の内面に圧接することによって、上止１の上下面がスライダー２の内面とが密閉され、また上止１の挿入脚部１３に形成した案内柱２１を通過させる通路部１４における密閉機能は、図３および図４に示すように、左右の挿入脚部１３に形成したフランジ２２によって内方へ押圧し、通路部１４を左右から密接させる。従って上止１における水密、気密効果は、突条１２と翼板２０との圧接、およびフランジ２２によって押圧部１５を内方へ押圧して通路部１４を密接することによって行う。
【実施例１】
【００２２】
図１〜６に示す実施例１の防水用上止は、一対のファスナーテープ５の表裏の表面へ塩
化ビニル、ポリエチレンなどの熱可塑性エラストマーまたは合成ゴムなどの防水材６を図４に示すようにコーティングして基布４を形成し、この基布４の対向側縁にポリアミド、ポリアセタール、ポリプロピレン、ポリブチレンテレフタレートなどの熱可塑性樹脂を用いて単体状のファスナーエレメント７を射出成形する。ファスナーエレメント７は大別して噛合頭部２８と脚部２９から形成し、脚部２９は方形体から形成し、脚部２９の外端にはスライダー２のフランジ２２が摺接する接触面３１を形成するとともに、接触面３１のファスナーテープ５側に平坦なヒレ部３０を設け、このヒレ部３０と接触面３１にスライダー２のフランジ２２が接して滑動する。
【００２３】
噛合頭部２８は脚部２９からひょうたん形に突出し、かつ脚部２９の頭部２８側にはファスナーテープ５の端縁に平坦な係合片３２を設け、噛合相手の噛合頭部２８に設けた凹溝３３と嵌合する。従って噛合頭部２８の先端には凹状の凹溝３３が形成され、噛合相手のファスナーエレメント７の両側に突設した係合片３２を収容して左右のファスナーエレメント７を噛合する。
【００２４】
スライダー２は上下の翼板２０すなわち表裏の翼板２０を案内柱２１で連結し、翼板２０の両外側にファスナーエレメント７をガイドするフランジ２２を曲設する。このスライダー２を用いて前後に摺動させ、基布４の側縁に成形したファスナーエレメント７を前後方向および左右方向に密接させることによって、左右の基布４は防水性を備えることができる。
【００２５】
基布４の側縁に取り付けられたファスナーエレメント７に連続して、先端が封鎖され中央にスライダー２の案内柱２１を収容できる収容部１０を形成し、この収容部１０の左右に挿入脚部１３を一体に設けた上止１を、基布４の表面をコーティングした塩化ビニル、ポリエチレンなどの熱可塑性エラストマーまたは合成ゴムと同質の素材によって射出成形する。上止１は図２に示すように、スライダー２の左右のフランジ２２内に収容でき、中央の収容部１０の内周縁部１１に沿って表面へ向けて突出する突条１２を設け、この突条１２はスライダー２の上下（表裏）の翼板２０の内面に接触する形態に形成して水密性を図る。ここで内周縁部１１に沿うとは、内周縁部１１から所定の距離を置いて、内周縁部１１の輪郭に合わせて形成すること、または突条１２が内周縁部１１と同一面で形成することであって、すなわち突条１２は収容部１０とともに案内柱２１を囲む形態に形成されていればよい。
【００２６】
上止１の挿入脚部１３の入口端部は、図３に示すように密接させることができ、案内柱２１を容易に通過できる通路部１４を形成し、突条１２はこの通路部１４で終端する形態に形成し、通路部１４とファスナーテープ５の端縁とは同一面に形成する。そして突条１２は入口に面した部分、すなわちファスナーエレメント７に連接する側の表面隅角部分を切り欠いて斜面を設けることにより傾斜面１６を形成する。この傾斜面１６を設けることによって、上下（表裏）の翼板２０との衝撃を軽減し、案内柱２１の通過を円滑に行えるように形成する。
【００２７】
上止１の挿入脚部１３の入口端部の左右外側の一部には、挿入脚部１３の外側縁よりも外側へ膨出し、かつ挿入脚部１３の上下（表裏）の表面において翼板２０に向けて突出する押圧部１５を設け、この押圧部１５は図３および図６に示すように成形されたファスナーエレメント７における脚部２９の外側面すなわち接触面３１よりも外側へ突出し、スライダー２を終端まで摺動させたとき、スライダー２のフランジ２２と脚部２９の接触面３１との間には間隙が生ずるが、スライダー２のフランジ２２と上止１の挿入脚部１３の外側縁に形成した押圧部１５との間には間隙はなく密接し、フランジ２２によって押圧部１５は内側へ押圧され、通路部１４は密着する。さらに説明すると、押圧部１５の外側からファスナーテープ５の縁部までの幅方向の寸法は、脚部２９の接触面３１からファスナー
テープ５の端部までの幅方向の寸法よりも大きい。
【００２８】
挿入脚部１３に形成した押圧部１５から内側すなわち奥側では、上止１が図３に示すようにスライダー２のフランジ２２間の間隔よりも狭く形成してフランジ２２と挿入脚部１３とは接触しない形に形成することによってスライダー２の摺動を軽快に行う。つまり、フランジ２２と接触しない挿入脚部１３は、互いに密着する通路部１４と対応する上止１の外側の位置よりも内側に形成され、押圧部１５は少なくとも通路部１４と対応する位置に形成されている。また上止１の挿入脚部１３は収容部１０の周囲に形成した突条１２と押圧部１５との間に凹状の窪みを設けることによって、スライダー２の翼板２０の内面と部分的な接触により、スライダー２の摺動動作が円滑かつ軽快に行うことができる。なお、挿入脚部１３の入口端部はファスナーエレメント７の配列に従って左右の端部が食い違っているが、突条１２の端部は左右一致している。
【００２９】
上止１の封鎖された先端には、図２に示すようにスライダー２における上下すなわち表裏の翼板２０の頭部２３の肩口外縁と一致し、当接できるストッパー１７を図６に示すように表裏面に突設してスライダー２の翼板２０の頭部２３を積極的に当接させ、スライダー２の摺動をストップさせる。このストッパー１７の外側の裏面に基布４を密接して水密性を得るため、熱可塑性エラストマーからなるシール材８を裏打ちして補強している。
【００３０】
この上止の使用態様を説明すると、図５に示すように左右の基布４に装着されたスライダー２を上止１に向けて摺動させ、弾性を備えた上止１の通路部１４を案内柱２１が押し広げ、スライダー２の翼板２０の頭部２３がストッパー１７に当接し、同時に収容部１０へ案内柱２１を収容することによって、スライダー２におけるフランジ２２が左右の押圧部１５を押圧して通路部１４を圧接し、かつ上止１の突条１２がスライダー２の翼板２０の内面に圧接し、基布４の終端において水密、気密性が保持される。
【００３１】
水密、気密性を開放するには、スライダー２を上止１から離反する方向へ摺動させ、案内柱２１で挿入脚部１３の通路部１４を押し広げてスライダー２を摺動させることができる。
【実施例２】
【００３２】
図７に示す実施例２の防水用上止は、前記実施例１と異なるところは、上止１の挿入脚部１３の外側縁に設ける押圧部１５の形態が平面的であり、表裏へ向けて突出する部分がない。詳しく述べると、熱可塑性エラストマーから成形された上止１は、案内柱２１を収容する収容部１０を設け、この収容部１０の内周縁部１１に沿って表裏方向へ突出する突条１２を表裏面に設けて翼板２０の内面に圧接させ、左右の挿入脚部１３の外側縁には挿入脚部１３の外面より多少平面的に膨出する押圧部１５を形成する。この押圧部１５は上止１の表裏面に存在する挿入脚部１３と同一厚さから形成され、スライダー２のフランジ２２の内面と摺接する形態に形成されている。
【００３３】
スライダー２を上止１へ向けて摺動させると、スライダー２のフランジ２２によって上止１の挿入脚部１３の外側縁に形成した押圧部１５を押圧して挿入脚部１３を内側へ圧迫して通路部１４を密着させる。この上止１は収容部１０の内周縁部１１に周設した突条１２によって、スライダー２の翼板２０の内面に圧接し、また通路部１４においてはスライダー２のフランジ２２によって密接することにより、上止１に水密性機能を備えさせることができる防水用上止である。
【００３４】
以上説明した実施例１，２の上止は、射出タイプのファスナーエレメントに限定されるものではなく、合成樹脂製のモノフィラメントから形成したコイル状ファスナーエレメントまたはジグザグ状ファスナーエレメントを装備したファスナーチエンにも適用すること
ができる。この場合、ファスナーエレメントにおける脚部の接触面とは、コイル状またはジグザグ状のファスナーエレメントにおける上下（表裏）の脚部に連なる噛合頭部とは反対側の反転部すなわち連結部の外側を指すものであり、摺動するスライダーのフランジと接触する部分を意味するものである。
【産業上の利用可能性】
【００３５】
この発明のスライドファスナーの防水用上止は、各種のウェットスーツ、防水ズボン、水中作業用の防水靴などにおける水中での開口部に用いるものや、カバンの開口部に用いる水密、気密性を備えた防水用の上止として利用する。
【図面の簡単な説明】
【００３６】
【図１】スライドファスナーの防水用上止の斜視図である。
【図２】同上の防水用上止の使用状態を示すスライダーの一部を切欠した正面図である。
【図３】同上上止の図２における拡大正面図である。
【図４】同上上止の図３におけるＡ−Ａ断面図である。
【図５】同上上止の使用状態を示す正面図である。
【図６】同上上止の押圧部とファスナーエレメントとの関係を示す要部の拡大図である。
【図７】同上上止にスライダーを摺接した状態を示す側面図である。
【図８】他の上止の斜視図である。
【図９】公知の上止の使用状態を示す正面図である。
【符号の説明】
【００３７】
１      上止
２      スライダー
５      ファスナーテープ
７      ファスナーエレメント
１０    収容部
１１    内周縁部
１２    突条
１３    挿入脚部
１４    通路部
１５    押圧部
２０    翼板
２１    案内柱
２２    フランジ
２９    脚部
３１    接触面
【図１】
0004628233.tif 000002
【図２】
0004628233.tif 000003
【図３】
0004628233.tif 000004
【図４】
0004628233.tif 000005
【図５】
0004628233.tif 000006
【図６】
0004628233.tif 000007
【図７】
0004628233.tif 000008
【図８】
0004628233.tif 000009
【図９】
0004628233.tif 000010